(57)【要約】【課題】ユーザの身体データとユーザの画像の履歴管理を行うことのできる情報処理装置等を提供する。【解決手段】管理システム１は、撮影装置３と測定装置５から構成される測定ユニット２と、ユーザ端末７とを有する。測定装置５はユーザの身体データを測定する。撮影装置３は、コンピュータ、モニター３１、カメラ３２等を有し、カメラ３２によってユーザ画像を撮影する。コンピュータは、ユーザの身体データ及びユーザ画像を測定装置５とカメラ３２から取得する。ユーザ端末７は、ユーザの身体データ及びユーザ画像をコンピュータから受信し、複数の日時におけるユーザの身体データ及びユーザ画像の履歴を記録し、且つ表示する。【選択図】図２
2019076659.tif 000002
【特許請求の範囲】
【請求項１】
ユーザの身体データを測定する測定装置と、ユーザの画像を撮影するカメラと、を有する測定ユニットの前記測定装置と前記カメラからユーザの前記身体データ及び前記画像を取得する取得手段と、
ユーザの前記身体データ及び前記画像を、前記身体データ及び前記画像の履歴を記録する管理装置に送信する送信手段と、
を有することを特徴とする情報処理装置。
【請求項２】
前記情報処理装置は、
前記管理装置が前記情報処理装置とピアツーピア接続するために用いられる接続情報をモニターに表示させることを特徴とする請求項１記載の情報処理装置。
【請求項３】
前記情報処理装置は、
ユーザ認証を行う認証手段を有することを特徴とする請求項１記載の情報処理装置。
【請求項４】
前記身体データは、身体の構成に関するデータを含むことを特徴とする請求項１から請求項３のいずれかに記載の情報処理装置。
【請求項５】
前記身体データは、身体の活動状態に関するデータを含むことを特徴とする請求項１から請求項４のいずれかに記載の情報処理装置。
【請求項６】
前記情報処理装置は、
前記測定装置と前記カメラから取得したユーザの前記身体データ及び前記画像をモニターに表示させることを特徴とする請求項１から請求項５のいずれかに記載の情報処理装置。
【請求項７】
前記情報処理装置は、
前記測定装置からユーザの前記身体データを受信した後、前記カメラによってユーザの前記画像を撮影することを特徴とする請求項１から請求項６のいずれかに記載の情報処理装置。
【請求項８】
前記情報処理装置は、
前記カメラによってユーザを撮影して得た動画をモニターに表示させ、
前記測定装置からユーザの前記身体データを受信した後、前記モニターにてカウントダウン表示を行い、前記カウントダウン表示の終了後、前記カメラによってユーザを撮影して静止画である前記画像を得ることを特徴とする請求項７記載の情報処理装置。
【請求項９】
ユーザの身体データを測定する測定装置と、ユーザの画像を撮影するカメラと、を有する測定ユニットで得られたユーザの前記身体データ及び前記画像を情報処理装置から受信する受信手段と、
ユーザの前記身体データ及び前記画像の履歴を記録する記録手段と、
を有することを特徴とする管理装置。
【請求項１０】
前記管理装置は、ユーザの前記身体データ及び前記画像の履歴を表示するユーザ端末であることを特徴とする請求項９記載の管理装置。
【請求項１１】
前記ユーザ端末は、前記情報処理装置とピアツーピア接続して前記情報処理装置からユーザの前記身体データ及び前記画像を受信することを特徴とする請求項１０記載の管理装置。
【請求項１２】
前記管理装置は、ユーザの前記身体データ及び前記画像の履歴をユーザ端末に表示させるサーバであることを特徴とする請求項９記載の管理装置。
【請求項１３】
前記ユーザ端末は、ユーザの前記身体データ及び前記画像の履歴を同じ画面で表示することを特徴とする請求項１０から請求項１２のいずれかに記載の管理装置。
【請求項１４】
ユーザの身体データを測定する測定装置と、
ユーザの画像を撮影するカメラと、
ユーザの前記身体データ及び前記画像を前記測定装置と前記カメラから取得する情報処理装置と、
を有し、
前記情報処理装置は、
ユーザの前記身体データ及び前記画像を、前記身体データ及び前記画像の履歴を記録する管理装置に送信することを特徴とする測定ユニット。
【請求項１５】
ユーザの身体データを測定する測定装置と、
ユーザの画像を撮影するカメラと、
ユーザの前記身体データ及び前記画像を前記測定装置と前記カメラから取得する情報処理装置と、
を有する測定ユニットと、
ユーザの前記身体データ及び前記画像を前記情報処理装置から受信する受信手段と、
ユーザの前記身体データ及び前記画像の履歴を記録する記録手段と、
を有する管理装置と、
を具備することを特徴とする管理システム。
【請求項１６】
コンピュータを、
ユーザの身体データを測定する測定装置と、ユーザの画像を撮影するカメラと、を有する測定ユニットの前記測定装置と前記カメラからユーザの前記身体データ及び前記画像を取得する取得手段と、
ユーザの前記身体データ及び前記画像を、前記身体データ及び前記画像の履歴を記録する管理装置に送信する送信手段と、
を有する情報処理装置として機能させるためのプログラム。
【請求項１７】
コンピュータを、
ユーザの身体データを測定する測定装置と、ユーザの画像を撮影するカメラと、を有する測定ユニットで得られたユーザの前記身体データ及び前記画像を情報処理装置から受信する受信手段と、
ユーザの前記身体データ及び前記画像の履歴を記録する記録手段と、
を有する管理装置として機能させるためのプログラム。
【発明の詳細な説明】
【技術分野】
【０００１】
本発明は、ユーザの身体データとユーザを撮影した画像を管理するための情報処理装置、管理装置、測定ユニット、管理システムおよびプログラム等に関する。
【背景技術】
【０００２】
近年、スマート体重計やスマート体組成計のような装置が登場し、様々な身体データを簡単に測定できるようになっている。その測定結果を管理する専用のアプリもスマートフォン向けに広く配布され、身体データの履歴管理が容易に行えるようになっている。
【０００３】
しかしながら、上記のような装置やアプリで測定、管理できるのは、体重・身長・体脂肪量等の身体の構成に関するデータや、心拍数・血圧・体温等の身体の活動状態に関するデータ（バイタルデータ）などの測定結果に限られる。
【０００４】
一方、このような身体データの測定結果と併せてその他の情報を取得する装置としては、目的は異なるものの引用文献１の生体情報登録装置がある。引用文献１の生体情報登録装置では、生体情報取得のシーケンスとして、カメラによる顔情報の取得、指紋や指静脈などの指情報の取得、署名情報の取得、身長情報の取得、体重情報の取得を行うプログラムを任意の順番で次々に実行し、これらのデータをデータベースに登録する。
【先行技術文献】
【特許文献】
【０００５】
【特許文献１】特開2009−55934号公報
【発明の概要】
【発明が解決しようとする課題】
【０００６】
従来、スマート体重計やスマート体組成計のような装置で測定し、アプリで管理できるのは、主に前記した身体データの測定結果であり、数値で表されるものである。一方、ユーザからすると、スポーツジムなどにおいて身体データの測定と同時に測定時のユーザの外観について写真撮影し、その画像を身体データと併せて履歴管理し、身体データの推移と自身の体型等の推移を確認したいという要望もある。
【０００７】
しかしながら、スポーツジムなどでは、ジム内の写真撮影が迷惑行為として禁止されている事が多く、スマート体重計やスマート体組成計の設置場所でスマートフォン等のカメラを用いて自身を撮影することが難しい。
【０００８】
また引用文献１は生体認証に用いるデータを登録するための技術であり、このようなケースでは通常データの推移を管理したり確認したりする必要が無いため、引用文献１の技術を上記の目的に単に適用することはできない。
【０００９】
本発明は上記の問題に鑑みてなされたものであり、ユーザの身体データとユーザの画像の履歴管理を行うことのできる情報処理装置等を提供することを目的とする。
【課題を解決するための手段】
【００１０】
前述した課題を解決するための第１の発明は、ユーザの身体データを測定する測定装置と、ユーザの画像を撮影するカメラと、を有する測定ユニットの前記測定装置と前記カメラからユーザの前記身体データ及び前記画像を取得する取得手段と、ユーザの前記身体データ及び前記画像を、前記身体データ及び前記画像の履歴を記録する管理装置に送信する送信手段と、を有することを特徴とする情報処理装置である。
【００１１】
本発明によれば、測定ユニットでユーザの身体データの測定とユーザの撮影を行い、これにより得られた身体データの測定結果とユーザ画像の履歴管理を行うことができ、身体データの推移と自身の外観の推移をユーザが確認することができる。また測定装置に撮影装置を組み合わせた測定ユニットにより、ユーザは身体データの測定とユーザの撮影を容易に行うことができる。
【００１２】
前記情報処理装置は、前記管理装置が前記情報処理装置とピアツーピア接続するために用いられる接続情報をモニターに表示させることが望ましい。あるいは、前記情報処理装置は、ユーザ認証を行う認証手段を有することも望ましい。
ユーザが自身の身体データやユーザ画像の履歴を閲覧可能とするための手法としては、ユーザ端末等を管理装置として用い、これを情報処理装置にピアツーピア接続して身体データやユーザ画像を情報処理装置から直接受信し、身体データやユーザ画像の記録を行うことや、測定時にユーザ認証を行い、身体データやユーザ画像を別途用意したサーバ等の管理装置でユーザごとに記録することが考えられ、本発明の情報処理装置はそのための手段も備えている。
【００１３】
前記身体データは、身体の構成に関するデータを含むことが望ましい。また、前記身体データは、身体の活動状態に関するデータを含むことも望ましい。
前者の身体データは例えば体重、身長、骨格筋量、体脂肪率、筋肉量、骨量などのデータであり、後者の身体データは例えば心拍数、血圧、体温などのデータである。本発明ではこれらの推移をユーザの外観の推移と併せて確認できるようになる。
【００１４】
前記情報処理装置は、前記測定装置と前記カメラから取得したユーザの前記身体データ及び前記画像をモニターに表示させることが望ましい。
これにより、ユーザが自身の身体データやユーザ画像をモニター上で確認し、必要に応じて身体データの再測定やユーザの再撮影を可能にできる。
【００１５】
前記情報処理装置は、前記測定装置からユーザの前記身体データを受信した後、前記カメラによってユーザの前記画像を撮影することが望ましい。
このように、本発明では身体データの取得と連動してユーザの撮影を行うことができる。
【００１６】
前記情報処理装置は、前記カメラによってユーザを撮影して得た動画をモニターに表示させ、前記測定装置からユーザの前記身体データを受信した後、前記モニターにてカウントダウン表示を行い、前記カウントダウン表示の終了後、前記カメラによってユーザを撮影して静止画である前記画像を得ることも望ましい。
これにより、ユーザはカウントダウン中に自身の動画を見て写りを確認し、自身の撮影を行うことができる。
【００１７】
第２の発明は、ユーザの身体データを測定する測定装置と、ユーザの画像を撮影するカメラと、を有する測定ユニットで得られたユーザの前記身体データ及び前記画像を情報処理装置から受信する受信手段と、ユーザの前記身体データ及び前記画像の履歴を記録する記録手段と、を有することを特徴とする管理装置である。
第２の発明は、測定装置で測定した身体データとカメラで撮影したユーザ画像を履歴として記録し、管理する管理装置についての発明である。
【００１８】
前記管理装置は、ユーザの前記身体データ及び前記画像の履歴を表示するユーザ端末であることが望ましい。前記ユーザ端末は、例えば前記情報処理装置とピアツーピア接続して前記情報処理装置からユーザの前記身体データ及び前記画像を受信する。
管理装置は例えばユーザが所持するユーザ端末であり、ユーザ端末の記憶部等に記録した上記の履歴を表示させることができる。この場合、ユーザ端末は情報処理装置とピアツーピア接続して情報処理装置から直接ユーザの身体データとユーザ画像を受信することができる。
【００１９】
前記管理装置は、ユーザの前記身体データ及び前記画像の履歴をユーザ端末に表示させるサーバであってもよい。
管理装置は別途用意したサーバであってもよく、この場合はサーバの記憶部等に記録した上記の履歴をユーザ端末の求めに応じてユーザ端末に表示させることができる。
【００２０】
ユーザ端末は、ユーザの前記身体データ及び前記画像の履歴を同じ画面で表示することが望ましい。
これにより、ユーザは自身の身体データと外観の推移を同時に把握できるようなる。
【００２１】
第３の発明は、ユーザの身体データを測定する測定装置と、ユーザの画像を撮影するカメラと、ユーザの前記身体データ及び前記画像を前記測定装置と前記カメラから取得する情報処理装置と、を有し、前記情報処理装置は、ユーザの前記身体データ及び前記画像を、前記身体データ及び前記画像の履歴を記録する管理装置に送信することを特徴とする測定ユニットである。
【００２２】
第４の発明は、ユーザの身体データを測定する測定装置と、ユーザの画像を撮影するカメラと、ユーザの前記身体データ及び前記画像を前記測定装置と前記カメラから取得する情報処理装置と、を有する測定ユニットと、ユーザの前記身体データ及び前記画像を前記情報処理装置から受信する受信手段と、ユーザの前記身体データ及び前記画像の履歴を記録する記録手段と、を有する管理装置と、を具備することを特徴とする管理システムである。
【００２３】
第５の発明は、コンピュータを、ユーザの身体データを測定する測定装置と、ユーザの画像を撮影するカメラと、を有する測定ユニットの前記測定装置と前記カメラからユーザの前記身体データ及び前記画像を取得する取得手段と、ユーザの前記身体データ及び前記画像を、前記身体データ及び前記画像の履歴を記録する管理装置に送信する送信手段と、を有する情報処理装置として機能させるためのプログラムである。
【００２４】
第６の発明は、コンピュータを、ユーザの身体データを測定する測定装置と、ユーザの画像を撮影するカメラと、を有する測定ユニットで得られたユーザの前記身体データ及び前記画像を情報処理装置から受信する受信手段と、ユーザの前記身体データ及び前記画像の履歴を記録する記録手段と、を有する管理装置として機能させるためのプログラムである。
【発明の効果】
【００２５】
本発明により、ユーザの身体データとユーザの画像の履歴管理を行うことのできる情報処理装置等を提供することができる。
【図面の簡単な説明】
【００２６】
【図１】管理システム１の概略図。
【図２】測定ユニット２を示す図。
【図３】撮影装置３の構成を示す図。
【図４】コンピュータ３０のハードウェア構成を示す図。
【図５】測定装置５の構成を示す図。
【図６】ユーザ端末７のハードウェア構成を示す図。
【図７】管理システム１の処理について示すフローチャート。
【図８】撮影装置３のモニター３１の表示画面３１０の例。
【図９】撮影装置３のモニター３１の表示画面３１０の例。
【図１０】履歴データ８０を示す図。
【図１１】ユーザ端末７の表示部７３の表示画面７３０の例。
【図１２】管理システム１ａの概略図。
【図１３】測定ユニット２ａを示す図。
【図１４】サーバ９のハードウェア構成を示す図。
【図１５】ユーザ情報８を示す図。
【図１６】管理システム１ａの処理について示すフローチャート。
【図１７】撮影装置３ａのモニター３１の表示画面３１０の例。
【発明を実施するための形態】
【００２７】
以下、図面に基づいて本発明の好適な実施形態について詳細に説明する。
【００２８】
［第１の実施形態］
（１．管理システム１）
図１は本発明の第１の実施形態に係る管理システム１の概略図である。管理システム１は、ユーザの身体データの測定結果とユーザを撮影して得た静止画（以下、ユーザ画像ということがある）の履歴を管理するものであり、撮影装置３とユーザ端末７、測定装置５が通信可能に接続された構成を有する。これらは無線により接続されるが、撮影装置３と測定装置５は有線によって接続されてもよい。
【００２９】
撮影装置３と測定装置５は本発明における測定ユニット２を構成する。図２はこの測定ユニット２を示す図である。測定ユニット２は例えば会員制のスポーツジムに設置される。
【００３０】
撮影装置３はユーザを撮影するほか、管理システム１の処理に係る各種の操作をユーザが行う際にも用いられる。
【００３１】
図３は撮影装置３の構成を示す図である。図３に示すように、撮影装置３は、コンピュータ３０、モニター３１、カメラ３２等を有する。ただし、撮影装置３の構成がこれに限定されることはない。
【００３２】
コンピュータ３０は、撮影装置３の処理全体を制御する情報処理装置である。
【００３３】
図４はコンピュータ３０のハードウェア構成を示す図である。図４に示すように、コンピュータ３０は、例えば制御部３０１、記憶部３０２、入力部３０３、通信制御部３０４等をバス等により接続して構成される。但しこれに限ることなく、適宜様々な構成を採ることができる。
【００３４】
制御部３０１はCPU、ROM、RAMなどから構成される。CPUは、記憶部３０２、ROMなどの記憶媒体に格納されたコンピュータ３０の処理に係るプログラムをRAM上のワークエリアに呼び出して実行する。ROMは不揮発性メモリであり、ブートプログラムやBIOSなどのプログラム、データなどを恒久的に保持している。RAMは揮発性メモリであり、記憶部３０２、ROMなどからロードしたプログラムやデータを一時的に保持するとともに、制御部３０１が各種処理を行うために使用するワークエリアを備える。
【００３５】
記憶部３０２はハードディスクドライブやソリッドステートドライブ、フラッシュメモリ等であり、後述する処理に際しコンピュータ３０が実行するプログラム、プログラム実行に必要なデータ、OSなどが格納される。これらのプログラムやデータは、制御部３０１により必要に応じて読み出され実行される。
【００３６】
入力部３０３はコンピュータ３０に各種の設定入力を行うものである。
通信制御部３０４は無線あるいは有線による通信を媒介する通信インタフェースであり、測定装置５やユーザ端末７との間で通信を行う。
【００３７】
図３の説明に戻る。モニター３１は、ユーザの操作に係る各種の画面を表示し、ユーザの選択や指示等を受付けるものである。モニター３１にはタッチパネル付きの液晶ディスプレイ等が用いられる。
【００３８】
カメラ３２はユーザを撮影するものである。カメラ３２には、例えば受光レンズ、CCD(Charged  coupled  devices)やCMOS(Complementary  metal-oxide-semiconductor)などの撮像素子、A/D(Analog/digital)変換部等を有する既知のデジタルカメラを用いることができる。
【００３９】
図２に示すように、モニター３１やカメラ３２は、ユーザの操作や撮影の行いやすさを考慮して設置される。図２の例では、ユーザが乗る測定装置５の前方の適切な高さにこれらが配置される。本実施形態ではカメラ３２により測定装置５に乗ったユーザの全身画像を撮影するが、顔などユーザの一部を撮影してもよい。
【００４０】
測定装置５は、ユーザの身体データの測定を行うものであり、例えばスマート体重計やスマート体組成計などと呼ばれるものを用いることができる。
【００４１】
ここで、身体データとはユーザの身体に関するデータを指し、本実施形態ではユーザの体重、骨格筋量、体脂肪率などの身体の構成（構造）に関するデータを測定するものとする。身体の構成に関するデータはこれに限らず、身長、筋肉量、骨量などを測定することも可能である。これらは身体全体あるいは身体の一部の質量またはサイズについての値であり、測定結果は数値として示される。
【００４２】
図５は測定装置５の構成を示す図である。図５に示すように、測定装置５は、制御部５１、測定部５２、操作部５３、通信部５４等を有する。ただし、測定装置５の構成がこれに限定されることはない。
【００４３】
制御部５１は測定装置５の処理全般を制御するものであり、例えば前記したコンピュータ３０と同様の構成を有する既知のコンピュータが用いられる。
【００４４】
測定部５２はユーザの身体データの測定を行うものであり、測定する身体データに応じて、これを測定するための既知の機構が用いられる。本実施形態では測定部５２によりユーザの体重、骨格筋量、体脂肪率を測定するものとし、測定部５２はユーザの体重、骨格筋量、体脂肪率を測定するための既知の機構を有している。
【００４５】
操作部５３は、測定装置５の操作を測定装置５側で行うためのものであり、タッチパネル付きの液晶ディスプレイや操作ボタン等を有する。
【００４６】
通信部５４は、撮影装置３との間で通信を行うものである。通信手段は無線、有線を問わない。
【００４７】
図１、２の説明に戻る。ユーザ端末７はユーザの所持するコンピュータ端末であり、ユーザの身体データやユーザ画像の履歴を記録し、これを管理する管理装置である。ユーザ端末７には、例えばスマートフォンやタブレット端末等の携帯端末を用いることができる。
【００４８】
図６はユーザ端末７のハードウェア構成を示す図である。図６に示すように、ユーザ端末７は、制御部７１、記憶部７２、表示部７３、入力部７４、通信制御部７５、カメラ７６、音声入出力部７７等をバス等により接続して構成される。ただしこれに限ることは無く、適宜様々な構成をとることができる。
【００４９】
制御部７１はCPU、ROM、RAMなどから構成される。CPUは、記憶部７２、ROMなどの記憶媒体に格納されたユーザ端末７の処理に係るプログラムをRAM上のワークエリアに呼び出して実行する。ROMは不揮発性メモリであり、ブートプログラムやBIOSなどのプログラム、データなどを恒久的に保持している。RAMは揮発性メモリであり、記憶部７２、ROMなどからロードしたプログラムやデータを一時的に保持するとともに、制御部７１が各種処理を行うために使用するワークエリアを備える。
【００５０】
記憶部７２はフラッシュメモリ等であり、制御部７１が実行するプログラム、プログラム実行に必要なデータ、OSなどが格納される。これらのプログラムやデータは、制御部７１により必要に応じて読み出され実行される。本実施形態では、後述する処理をユーザ端末７に実行させるために必要なアプリケーションプログラムその他のプログラムやデータが記憶部７２に格納される。
【００５１】
表示部７３は例えば液晶ディスプレイ等である。
入力部７４はユーザ端末７に各種の設定入力を行うものであり、例えば表示部７３に設けられたタッチパネルである。
通信制御部７５はネットワーク等を介した通信を媒介する通信インタフェースであり、撮影装置３等との間で通信を行う。
【００５２】
カメラ７６は、受光レンズ、CCDやCMOS等の撮像素子、A/D変換部などから構成される。
音声入出力部７７はマイクやスピーカーを備え、入力された音声をデジタル音声データに変換したり、デジタル音声データを音声として出力したりする。
【００５３】
（２．管理システム１が行う処理）
図７は管理システム１の処理について示すフローチャートである。図７のＳ１０１、Ｓ１０４〜Ｓ１０５、Ｓ１０８〜Ｓ１１１は撮影装置３のコンピュータ３０が実行する処理であり、Ｓ１０２〜Ｓ１０３、Ｓ１１２〜Ｓ１１３はユーザ端末７の制御部７１が実行する処理である。またＳ１０６〜Ｓ１０７は測定装置５の制御部５１が実行する。
【００５４】
本実施形態では、撮影装置３がモニター３１に待ち受け画面として図８（ａ）に示すように二次元コード３１１を表示する（Ｓ１０１）。
【００５５】
図８（ａ）の例ではモニター３１の表示画面３１０に二次元コード３１１が表示され、履歴管理を行う場合は二次元コード３１１を読取るべき旨のメッセージａも表示される。なお、履歴管理を行わずその場で身体データを測定するだけの場合もあり、その場合は二次元コード３１１の読取は不要であるが、表示画面３１０にはその旨を説明するメッセージｂも表示される。
【００５６】
ユーザは、ユーザ端末７にて履歴管理用のアプリケーションを起動し、カメラ７６により二次元コード３１１を撮影して読取る（Ｓ１０２）。二次元コード３１１はユーザ端末７が撮影装置３のコンピュータ３０とピアツーピア接続するために用いる接続情報であり、例えばコンピュータ３０のIPアドレス等をコード化したものである。ユーザ端末７は、二次元コード３１１を復号し、これを用いてWi-Fi（登録商標）やBluetooth（登録商標）等の無線通信手段にて撮影装置３（コンピュータ３０）にピアツーピア接続する（Ｓ１０３）。
【００５７】
撮影装置３は、ユーザ端末７が接続されたことを検知すると、図８（ｂ）に示す測定モードの選択受付画面をモニター３１に表示し、測定モードの選択を受付ける（Ｓ１０４）。本実施形態において、測定モードは、身体データの測定と併せてユーザの撮影を行うモードと、身体データの測定のみを行うモードである。
【００５８】
図８（ｂ）の例では、モニター３１の表示画面３１０に、身体データの測定と併せてユーザの撮影を行うモードを選択するための「写真撮影あり」ボタン３１２ａ、身体データの測定のみを行うモードを選択するための「写真撮影なし」ボタン３１２ｂが表示される。図８（ｂ）の例では「写真撮影あり」ボタン３１２ａが選択されており、選択されたことを示すマークｃが「写真撮影あり」ボタン３１２ａ上に表示される。
【００５９】
表示画面３１０では、身体データの測定開始の入力を行うための「測定開始」ボタン３１３、処理を中止してログアウト（接続の解除）を行うための「中止」ボタン３１４がさらに表示される。また表示画面３１０では、測定モードの選択と「測定開始」ボタン３１３へのタッチを行った後に測定を行うことを促すメッセージｄも表示され、画面上部にはユーザ端末７が撮影装置３に接続した旨のメッセージｅとユーザ名ｆも表示される。このユーザ名ｆは例えばユーザが履歴管理用のアプリケーションで登録したユーザ名であり、Ｓ１０３において撮影装置３に送信される。
【００６０】
本実施形態において、ユーザは、図８（ｂ）に示す画面上で「写真撮影あり」ボタン３１２ａにタッチし、身体データの測定と併せてユーザの撮影を行うモードを選択した上で、「測定開始」ボタン３１３にタッチする。すると、撮影装置３は図９（ａ）に例示する結果待ち画面をモニター３１に表示し（Ｓ１０５）、身体データの測定結果の受信待ちの状態となる。
【００６１】
図９（ａ）の例では、モニター３１の表示画面３１０に「中止」ボタン３１４やユーザ名ｆの他、体重や骨格筋量、体脂肪率等の身体データの測定結果を表示する表示領域３１５、カメラ３２によりユーザを撮影して得られるリアルタイムのユーザ動画であるライブビュー動画３１６が表示される。なお、この段階では表示領域３１５に測定結果は表示されていない。
【００６２】
図９（ａ）に示す表示画面３１０では、画面上部に測定を行うことを促すメッセージｇも表示されており、ユーザは当該メッセージｇに従って測定装置５を操作し、測定装置５によってユーザの身体データを測定する（Ｓ１０６）。
【００６３】
測定装置５は、例えば測定部５２に乗ったユーザの体重や骨格筋量、体脂肪率等の身体データを、測定部５２によって既知の手法で測定し、その測定結果を撮影装置３に送信する（Ｓ１０７）。
【００６４】
撮影装置３は、身体データの測定結果を受信して取得すると（Ｓ１０８；取得手段）、これをトリガーとしてカメラ３２による写真撮影のカウントダウンをモニター３１上で開始する（Ｓ１０９）。
【００６５】
図９（ｂ）はカウントダウン中のモニター３１の表示画面３１０の例であり、本実施形態では表示領域３１５に身体データの測定結果が表示される。また、ライブビュー動画３１６の上に重ねてカウントダウン表示３１７が行われ、撮影までの時間（図の例では秒単位）がカウントダウンされる。
【００６６】
また画面上部にはユーザ名ｆとともに測定結果を受信した旨のメッセージｈも表示される。なお、本実施形態ではこの画面に「中止」ボタン３１４が表示されず、カウントダウン中は処理を中止できないようになっている。ただし、「中止」ボタン３１４を表示してカウントダウン中に処理を中止可能とすることもできる。
【００６７】
撮影装置３は、カウントダウン表示３１７の終了後、測定装置５の測定部５２に乗ったユーザをカメラ３２によって写真撮影し、ユーザ画像（静止画）を取得する（Ｓ１１０；取得手段）。
【００６８】
撮影装置３は、モニター３１にこのユーザ画像を表示する。図９（ｃ）はこの時の表示画面３１０の例であり、「中止」ボタン３１４やユーザ名ｆの他、ユーザ画像３２１が身体データの測定結果３２２とともに表示される。また表示画面３１０には、身体データの測定結果とユーザ画像をユーザ端末７に保存して処理を終了するための「保存して終了」ボタン３１８、前記のＳ１０６に戻って身体データの再測定を行うための「再測定」ボタン３１９、前記のＳ１１０に戻ってユーザの撮影を再度行うための「再撮影」ボタン３２０も表示される。
【００６９】
ユーザが上記の画面上で「保存して終了」ボタン３１８をタッチして選択すると、撮影装置３は、身体データの測定結果とユーザ画像を、測定ユニット２での測定日時（身体データの測定とユーザ画像の撮影を行った日時）と併せてユーザ端末７に送信する（Ｓ１１１；送信手段）。
【００７０】
ユーザ端末７はこれらのデータを受信し（Ｓ１１２；受信手段）、記憶部７２に記録する（Ｓ１１３；記録手段）。本実施形態では、以上の手順によりユーザが複数の日時で身体データの測定と自身の撮影を行うことで、図１０に示すように各測定日時８１のユーザ画像８２と身体データの測定結果８３が履歴データ８０としてユーザ端末７の記憶部７２に記録され、ユーザはこれをユーザ端末７で表示することができる。
【００７１】
例えば、ユーザはユーザ端末７にて履歴管理用のアプリケーションを起動し、各測定日時８１のユーザ画像８２や身体データの測定結果８３の履歴を図１１（ａ）、（ｂ）に示すように表示部７３の表示画面７３０に表示させ、これを閲覧することが可能になる。
【００７２】
図１１（ａ）は身体データの測定結果のみの履歴を表示する例である。図の例では表示画面７３０に「グラフ」ボタン７３１と「写真」ボタン７３２が表示され、「グラフ」ボタン７３１をタッチして選択することで身体データ（図の例では体重）の測定日時ごとの推移を示すグラフ７３３が表示される。
【００７３】
図１１（ｂ）は身体データの測定結果とユーザ画像の履歴を同じ画面で併せて表示する例であり、ユーザが「写真」ボタン７３２をタッチして選択することで、測定日時ごとのユーザ画像７３４の履歴が、各測定日時の身体データの測定結果の履歴と併せて表示される。
【００７４】
本実施形態では複数のユーザ画像７３４を時系列順に並べて１つの画面で一括表示し、その推移が一目でわかるようにしているが、ユーザ画像７３４の表示方法はこれに限らない。例えばユーザ画像７３４を時系列順に１枚ずつ上書き表示してゆくものでもよいし、スクロール操作により複数のユーザ画像７３４を時系列順に閲覧できるようにしてもよい。
【００７５】
以上説明したように、本実施形態では、測定ユニット２をスポーツジム等に設置し、この測定ユニット２でユーザの身体データの測定とユーザの撮影を行い、これにより得られた身体データの測定結果とユーザ画像の履歴管理を行うことができ、身体データの推移と自身の外観の推移をユーザが確認することができる。また測定装置５に撮影装置３を組み合わせた測定ユニット２により、ユーザは身体データの測定とユーザの撮影を容易に行うことができる。
【００７６】
本実施形態では、ユーザ端末７を撮影装置３のコンピュータ３０にピアツーピア接続してユーザの身体データの測定結果やユーザ画像をコンピュータ３０から直接受信し、身体データやユーザ画像の記録をユーザ端末７で行うことにより、ユーザが自身の身体データやユーザ画像をユーザ端末７で記録して管理し、その履歴が閲覧可能になる。
【００７７】
本実施形態において、身体データは体重、身長、骨格筋量、体脂肪率、筋肉量、骨量などの身体の構成に関するデータを含み、これらの推移を図１１（ｂ）のようにユーザ画像の推移と同じ画面で表示することで、ユーザは自身の身体データと外観の推移を同時に把握できるようなる。
【００７８】
また本実施形態では、測定ユニット２で得られたユーザの身体データとユーザ画像をモニター３１に表示させるので、ユーザが自身の身体データやユーザ画像を撮影装置３のモニター３１上で確認し、必要に応じて身体データの再測定やユーザの再撮影を可能にできる。
【００７９】
また本実施形態では、コンピュータ３０が測定装置５からユーザの身体データを受信した後、これに連動してカメラ３２によってユーザを撮影し、ユーザ画像を得ることができる。
【００８０】
特に本実施形態では、カメラ３２によってユーザを撮影して得た動画をモニター３１に表示させ、測定装置５からユーザの身体データを受信した後モニター３１にてカウントダウン表示３１７を行い、カウントダウン表示３１７の終了後、カメラ３２によって静止画であるユーザ画像を撮影するので、ユーザはカウントダウン中に自身の動画を見て写りを確認し、自身の撮影を行うことができる。
【００８１】
しかしながら、本発明はこれに限らない。例えば、本実施形態の測定ユニット２はスポーツジムに設置されるが、これに限らず、病院や体育館、老人ホームなどの福祉施設等に配置することもできる。また測定装置５で測定する身体データは身体の構成に関するものに限らず、それ以外のデータ、例えばユーザの心拍数、血圧、体温などの身体の活動状態に関するデータ（バイタルデータ）を含んでもよい。これらの測定結果も数値として示され、ユーザ画像と併せて履歴管理することで、ユーザは自身の健康状態の推移と自身の外観の推移を容易に確認することができる。
【００８２】
また、本実施形態では前記のＳ１０６においてユーザが測定装置５を操作して身体データの測定を行うが、図８（ｂ）に示す表示画面３１０で「測定開始」ボタン３１３をタッチすると撮影装置３から測定装置５に測定指示を送信し、当該測定指示を受信した測定装置５が自動的にユーザの身体データを測定するようにしてもよい。
【００８３】
さらに、管理装置として用いられるユーザ端末７は、身体データの測定結果やユーザ画像の履歴などから、直近の測定日時より未来の日時の身体データやユーザのシルエットの予測を作成し、これを図１１（ａ）、（ｂ）に示す表示画面７３０等で表示させることも可能である。また、理想的な身体データの値やユーザのシルエットを身体データの測定結果やユーザ画像の履歴などから作成し、上記と同様、図１１（ａ）、（ｂ）に示す表示画面７３０等で表示させることも可能である。
【００８４】
以下、本発明の別の例を第２の実施形態として説明する。第２の実施形態は第１の実施形態と異なる構成について主に説明し、同様の構成については図等で同じ符号を付すなどして説明を省略する。
【００８５】
［第２の実施形態］
（１．管理システム１ａ）
図１２は本発明の第２の実施形態に係る管理システム１ａの概略図である。図１２に示すように、第２の実施形態の管理システム１ａでは、撮影装置３ａとユーザ端末７がネットワーク６を介してサーバ９に通信可能に接続される。
【００８６】
図１３は撮影装置３ａと測定装置５による測定ユニット２ａを示す図である。本実施形態の撮影装置３ａは、第１の実施形態で説明した撮影装置３にリーダー３３を追加した構成を有する。
【００８７】
リーダー３３は、ユーザの会員証に記録されたユーザＩＤ（ユーザ識別情報）を読取るものであり、図１３の例ではモニター３１の側部に取付けられる。ただし、その取付位置は特に限定されない。
【００８８】
サーバ９は、ユーザの身体データやユーザ画像の履歴を記録し、これを管理する管理装置である。
【００８９】
図１４はサーバ９のハードウェア構成を示す図である。図１４に示すように、サーバ９は、制御部９１、記憶部９２、表示部９３、入力部９４、通信制御部９５等をバス等により接続して構成される。ただしこれに限ることは無く、適宜様々な構成をとることができる。
【００９０】
制御部９１、記憶部９２、入力部９４、通信制御部９５はそれぞれ前記した制御部３０１、記憶部３０２、入力部３０３、通信制御部３０４と略同様である。また表示部９３は液晶ディスプレイ等を備える。
【００９１】
サーバ９の記憶部９２には、図１５に示すユーザ情報８が格納される。ユーザ情報８は図１０で説明した履歴データ８０にユーザＩＤ８４を紐付けて記録したものであり、これによりユーザ画像８２と身体データの測定結果８３の履歴がユーザごとに管理される。
【００９２】
ユーザＩＤ８４はユーザを識別するユーザ識別情報であり、本実施形態ではユーザが所持する会員証にも記録される。
【００９３】
（２．管理システム１ａが行う処理）
図１６は管理システム１ａの処理について示すフローチャートである。図１６のＳ２０１〜Ｓ２０４、Ｓ２０７〜Ｓ２１０は撮影装置３ａのコンピュータ３０が実行する処理であり、Ｓ２０５〜Ｓ２０６は測定装置５の制御部５１が実行する。Ｓ２１１〜Ｓ２１２はサーバ９の制御部９１が実行する処理である。
【００９４】
本実施形態では、撮影装置３ａがモニター３１に待ち受け画面として図１７（ａ）に例示する表示画面３１０を表示する。
【００９５】
この表示画面３１０には、履歴管理を行う場合は会員証をリーダー３３にタッチしてユーザＩＤ８４を読取らせるべき旨のメッセージｉが表示される。また、後述する履歴表示ページを表示するためのアドレスを示すメッセージｊも表示される。
【００９６】
ユーザは、会員証をリーダー３３にタッチしてユーザＩＤ８４を読取らせる。撮影装置３ａは、リーダー３３によってユーザＩＤ８４を読取る（Ｓ２０１）と、ユーザＩＤ８４を認証情報として用いユーザ認証を行う（Ｓ２０２；認証手段）。
【００９７】
本実施形態では、Ｓ２０２の認証処理において、Ｓ２０１で読取ったユーザＩＤ８４を撮影装置３ａからサーバ９に送信し、サーバ９によって認証の可否を判定する。例えばＳ２０１で読取ったユーザＩＤ８４と一致するＩＤがユーザ情報８として管理しているユーザＩＤ８４の中にある場合、認証成功とし、認証結果を撮影装置３ａに送信する。ここでは認証が成功したものとして以降の説明を行うが、認証が失敗した場合は、例えばその旨を示すメッセージをモニター３１に表示するなどして処理を終了する。
【００９８】
撮影装置３ａは、ユーザ認証を行った後、図１７（ｂ）に示す測定モードの選択受付画面をモニター３１に表示させ、測定モードの選択を受付ける（Ｓ２０３）。図１７（ｂ）に示す表示画面３１０は図８（ｂ）の表示画面３１０とほぼ同様であるが、ユーザ端末７が撮影装置３ａに接続した旨のメッセージが表示されない点で異なる。なお、表示画面３１０中のユーザ名ｆとしては例えばＳ２０１で読取ったユーザＩＤ８４を表示できる。
【００９９】
この後、本実施形態でもユーザの身体データの測定とユーザの撮影を行う（Ｓ２０４〜Ｓ２０９）が、この手順は図７のＳ１０５〜Ｓ１１０と同様であるので説明を省略する。身体データの測定とユーザの撮影を行うと、前記の図９（ｃ）で説明した表示画面３１０が撮影装置３ａのモニター３１に表示されることとなる。
【０１００】
ユーザがこの表示画面３１０上で「保存して終了」ボタン３１８をタッチして選択すると、撮影装置３ａは、身体データの測定結果とユーザ画像を、測定ユニット２での測定日時およびユーザＩＤ８４と併せてサーバ９に送信する（Ｓ２１０；送信手段）。
【０１０１】
サーバ９はこれらのデータを受信し（Ｓ２１１；受信手段）、受信した測定日時、ユーザ画像、身体データの測定結果を、受信したユーザＩＤ８４に対応するユーザ情報８の測定日時８１、ユーザ画像８２、身体データの測定結果８３としてユーザＩＤ８４に紐付けて記憶部９２に記録する（Ｓ２１２；記録手段）。
【０１０２】
本実施形態では、以上の手順によりユーザが複数の日時で身体データの測定とユーザの撮影を行うことで、図１０と同様の各測定日時８１のユーザ画像８２と身体データの測定結果８３の履歴データ８０が、ユーザＩＤ８４と紐付けてユーザ情報８としてサーバ９の記憶部９２に記録される。ユーザはこれをユーザ端末７上で履歴表示ページとして表示させ、閲覧することができる。
【０１０３】
例えば、ユーザはユーザ端末７によってサーバ９の提供するサイトにアクセスし、ユーザＩＤ８４を入力するなどしてログインを行い履歴表示ページの表示要求をサーバ９に送信する。サーバ９は表示要求を受信すると、履歴表示ページのデータをユーザ端末７に送信し、ユーザ端末７に表示させる。当該ページでは図１１（ａ）、（ｂ）で説明したものと同様の表示が行われ、ユーザは身体データの推移を自身の外観の推移と併せて確認することができる。
【０１０４】
このように、本実施形態でも測定ユニット２ａで得られた身体データの測定結果とユーザ画像の履歴管理を行うことができ、第１の実施形態と同様の効果が得られる。特に本実施形態では、ユーザの測定結果とユーザ画像の履歴をサーバ９によって管理し、ユーザ端末７の求めに応じてユーザ端末７に表示させることができる。
【０１０５】
なお、本実施形態では会員証に記録したユーザＩＤ８４をリーダー３３で読取らせて認証を行っているが、認証方法がこれに限ることはない。
【０１０６】
例えばモニター３１上に表示されたスクリーンキーにてユーザがユーザＩＤやパスワードなどの認証情報を入力してもよい。また、静脈認証等の生体認証を行うことも可能であり、この場合は撮影装置３に専用の生体認証装置を設けておけばよい。あるいは、撮影装置３のカメラ３２を利用して顔認証を行うことも可能である。これらの場合、入力された認証情報（ユーザＩＤやパスワード、生体認証情報、顔認証情報）は撮影装置３のコンピュータ３０からサーバ９に送信し、認証の可否をサーバ９側で判定する。サーバ９にはユーザ情報８として正の認証情報を予め登録しておく。
【０１０７】
さらに、測定装置５にて認証情報の入力を行うことも可能であり、例えば測定装置５に取付けた生体認証装置に認証情報を入力して認証を行うことも可能である。この場合、生体認証装置で取得した認証情報は撮影装置３のコンピュータ３０に送信し、コンピュータ３０からサーバ９に認証情報を送信して認証の可否を判定する。前記と同様、サーバ９には、ユーザ情報８として正の認証情報を予め登録しておく。
【０１０８】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【０１０９】
１、１ａ：管理システム
２、２ａ：測定ユニット
３、３ａ：撮影装置
５：測定装置
７：ユーザ端末
８：ユーザ情報
９：サーバ
３０：コンピュータ
３１：モニター
３２：カメラ
３３：リーダー
８０：履歴データ 
８１：測定日時
８２、３２１、７３４：ユーザ画像
８３：測定結果
８４：ユーザＩＤ
３１０、７３０：表示画面
３１１：二次元コード
３２２：測定結果
７３３：グラフ
【図１】
2019076659.tif 000003
【図２】
2019076659.tif 000004
【図３】
2019076659.tif 000005
【図４】
2019076659.tif 000006
【図５】
2019076659.tif 000007
【図６】
2019076659.tif 000008
【図７】
2019076659.tif 000009
【図８】
2019076659.tif 000010
【図９】
2019076659.tif 000011
【図１０】
2019076659.tif 000012
【図１１】
2019076659.tif 000013
【図１２】
2019076659.tif 000014
【図１３】
2019076659.tif 000015
【図１４】
2019076659.tif 000016
【図１５】
2019076659.tif 000017
【図１６】
2019076659.tif 000018
【図１７】
2019076659.tif 000019